(57)【要約】      （修正有）【課題】容器入り多重腰折ウェットティシューにおける多重腰折ウェットティシューの積層体の表面を平坦化して積層体の嵩を低くする。【解決手段】一端側に四層重合部、他端側に二層重合部を形成して構成される多数の腰折ウェットティシュー１、２を、相互に重なり合う直上位の腰折ウェットティシュー１又は２と直下位の腰折ウェットティシュー２又は１がそれぞれの開口を相互に向い合わせて互い違いに組み合わされるようにして積層する。その積層体Ｊにおける両端側に形成される四層重合部積層部分１Ｑ又は２Ｑと中央部分に形成される二層重合部積層部分Ｕとが相互に上下方向に重合しないで、且つ前記二層重合部積層部分Ｕとその両側の四層重合部積層部分１Ｑ又は２Ｑとの間に横方向の隙間が生じないようにして各腰折ウェットティシュー１、２を上下方向に積層する。【選択図】図３
2010035750.tif 000002
【特許請求の範囲】
【請求項１】
矩形のウエブ（Ｗ1又はＷ2）を二ツ折りにして一端側に二ツ折り線（１ｄ又は２ｄ）部を、他端側に開口（１ｋ又は２ｋ）部を形成しさらに前記二ツ折り線（１ｄ又は２ｄ）部を所定深さだけ前記開口（１ｋ又は２ｋ）側へ折り込んで一端側に四層重合部（１Ｅ又は２Ｅ）、他端側に二層重合部（１Ｈ又は２Ｈ）を形成して構成される多数の腰折ウェットティシュー（１，１・・・、２，２・・・）を、相互に重なり合う直上位の腰折ウェットティシュー（１又は２）と直下位の腰折ウェットティシュー（２又は１）がそれぞれの開口（１ｋ又は２ｋ）を相互に向い合わせて互い違いに組み合わされるようにして積層してなる多重腰折ウェットティシューの積層体（Ｊ）であって、該積層体（Ｊ）における両端側に形成される四層重合部積層部分（１Ｑ又は２Ｑ）と中央部分に形成される二層重合部積層部分（Ｕ）とが相互に上下方向に重合しないでしかも前記二層重合部積層部分（Ｕ）とその両側の四層重合部積層部分（１Ｑ又は２Ｑ）との間に横方向の隙間が生じないようにして各腰折ウェットティシュー（１，１・・・、２，２・・・）が上下方向に積層されていることを特徴とする多重腰折ウェットティシューの積層体。
【発明の詳細な説明】
【技術分野】
【０００１】
本願発明は、容器に設けた取出口より腰折ウェットティシューを順次連続して取出し得るようにした容器入り多重腰折ウェットティシューにおける多重腰折ウェットティシューの積層体に関するものである。
【背景技術】
【０００２】
上記のような容器入り多重腰折ウェットティシューの代表的なものとして従来から図４に示すように、それぞれ紙幅の２分の１のところで紙片を下方へ折り畳んだ右向き腰折ウェットティシュー１０１の下部折片１０１ａと左向き腰折ウェットティシュー１０２の上部折片１０２ｂとを相の手に組み、順次積層したものがある。
【０００３】
一方、特許第２９５１１８７号公報（特許文献１）では、この図４に示すような従来構造の多重腰折ウェットティシューの連続取出し構造では次のような問題があることが指摘されている。
【０００４】
すなわち、多重腰折ウェットティシュー１０４は薬液等を湿潤した状態であり、各腰折ウェットティシューの折片がその端末から相当の長さに亘って薬液により接着するので、取出口１０３ａより取り出そうとする腰折ウェットティシューに次に続く腰折ウェットティシューの全体が友連れされて取出されてしまう欠点を有する。
【０００５】
そこで、上記特許文献１では、その改善案の一つとして図５に示すような多重腰折ウェットティシューの連続取出し構造を提案している。
【０００６】
これを説明すると、図５に示す多重腰折ウェットティシュー１１４は右向きの腰折ウェットティシュー１１１と左向きの腰折ウェットティシュー１１２とから成り、各右向き腰折ウェットティシュー１１１（又は左向き腰折ウェットティシュー１１２）の下部折片１１１ａ（又は１１２ａ）と各左向き腰折ウェットティシュー１１２（又は右向き腰折ウェットティシュー１１１）の上部折片１１２ｂ（又は１１１ｂ）とを相の手に組んで多重重ねしている。そして、上記各右向きと左向き腰折ウェットティシュー１１１，１１２の下部折片１１１ａ，１１２ａの遊離端側を各腰折ウェットティシューの腰折り方向とは逆方向に折り返して短巾重畳端１１１ｃ，１１２ｃを形成し、上記各右向き腰折ウェットティシュー１１１の短巾重畳端１１１ｃと、各左向き腰折ウェットティシュー１１２の上部折片１１２ｂの遊離端側とを相の手に組み、上記各左向き腰折ウェットティシュー１１２の短巾重畳端１１２ｃと、各右向き腰折ウェットティシュー１１１の上部折片１１１ｂの遊離端側とを相の手に組む。そして上記右向き腰折ウェットティシュー１１１の短巾重畳端１１１ｃと左向き腰折ウェットティシュー１１２の短巾重畳端１１２ｃとが多重腰折ウェットティシュー１１４の左半部側と右半部側に按分される構成とする。図５においては上記各右向きと左向きの腰折ウェットティシュー１１１，１１２の下部折片１１１ａ，１１２ａの遊離端側を同折片の基部側外面へ折り返し上記短巾重畳端１１１ｃ，１１２ｃを形成した例を示している。
【０００７】
図５に示す特許第２９５１１８７号公報記載の多重腰折ウェットティシュー１１４は上位の腰折ウェットティシューの下部端末と下位の腰折ウェットティシューの下部端末とが互いに接着せず、下位腰折ウェットティシューを過度に引き出す原因を排除する構成となっている。換言すると、例えば上位の腰折ウェットティシュー１１１の下部折片１１１ａによって形成した前記短巾重畳端１１１ｃはその折り返し片１１１ｄが下位の腰折ウェットティシュー１１２の上部折片１１２ｂと接着しない構造となっており接着巾は下部折片１１１ａの二分の一である。
【０００８】
上位の腰折ウェットティシュー１１１の短巾重畳端１１１ｃはその基部側において下位の腰折ウェットティシュー１１２の上部折片１１２ｂの遊離側と重なり合うのみである。従って上位の腰折ウェットティシュー１１１の下部折片１１１ａの全長と下位の腰折ウェットティシュー１１２の上部折片１１２ｂの全長とが重なり合って過度の友連れを来す要因を排除できる。
【０００９】
【特許文献１】特許第２９５１１８７号公報
【特許文献２】特開２００７−１５９８８０号公報
【発明の開示】
【発明が解決しようとする課題】
【００１０】
上記図５に示す多重腰折ウェットティシューの連続取出し構造（特許第２９５１１８７号公報）は、図４に示すそれ以前の従来例に比較すると、たしかに、上位の腰折ウェットティシューの積層体によって形成した短巾重畳端は、その折り返し片（たとえば１１１ｄ）が下位の腰折ウェットティシューの上部折片（短巾重畳端１１２ｂ）と接着しない構造となってその接着巾は下部折片１１１ａの二分の１となるという効果がある。
【００１１】
ところで、この種のウェットティシューは、その用途によって使用する原紙（ウエブ）の紙質や厚さ、及び使用する水又は薬液等の湿潤剤の性質（粘度等）や湿潤度（湿潤液の量）等が異なり、それらのことによって、容器からウェットティシューを取り出す際における、先行するティシュー（図６において符号Ｘ）の後端部分Ｘｄと後行するティシュー（図６において符号Ｙ）の先端部分Ｙｂとの間の「引き出し部重なり部分」Ｐ（長さＬｐ）における相互間摩擦力ないしは相互間接着力Ｇｐが異なる。そして容器からウェットティシューを取り出す際には、先行ティシューＸをこの相互間摩擦力ないしは相互間接着力Ｇｐを上回る引張力Ｆ1で上方に引張って後行ティシューＹと分離させる訳であるが、このとき、後行ティシューＹが必要以上に上動しないように下方に引き止める上動抵抗力Ｆ2が小さいと後行ティシューＹが先行ティシューＸに引きずられて容器から次々と引張り出される、いわゆる「友連れ」現象が生じる。
【００１２】
後行ティシューＹを下方に引き止める上動抵抗力Ｆ2は、同後行ティシューＹと容器１１３との間の摩擦力ないしは相互間接着力Ｇｎと、後行ティシューＹと該後行ティシューＹの次下位にある腰折ウェットティシューＺとの間の摩擦力ないしは相互間接着力Ｇｑ（図６では左向き腰折ウェットティシューＺの上部折片Ｚｂと後行ティシューＹの下部折片Ｙｃとの間の「折片間摩擦重なり部分」Ｑ（長さＬｑ）における摩擦力ないしは相互間接着力）の総和であり、前記「折片間摩擦重なり部分」Ｑにおける摩擦力ないしは相互間接着力Ｇｑが前記上動抵抗力Ｆ2の一定部分を占める。
【００１３】
このように、先行ティシューＸと後行ティシューＹの間の「引き出し部重なり部分」Ｐにおける相互間摩擦力ないしは相互間接着力Ｇｐと、後行ティシューＹと次下位の腰折ウェットティシューＺの「折片間摩擦重なり部分」Ｑにおける相互間摩擦力ないしは相互間接着力Ｇｑは、腰折ウェットティシューの連続取り出しを円滑に行い得るかどうかについての重要な要素となる。したがって、多重腰折ウェットティシューを製造するにあたっては、使用するティシュー原紙の紙質や使用する湿潤液の性質（粘度等）や湿潤度に応じて、上記先行ティシューＸと後行ティシューＹの間の「引き出し部重なり部分」Ｐにおける相互間摩擦力ないしは相互間接着力Ｇｐと、後行ティシューＹと次下位の腰折ウェットティシューＺの「折片間摩擦重なり部分」Ｑにおける相互間摩擦力ないしは相互間接着力Ｇｑを調整できると好都合である。そして、上記「引き出し部重なり部分」Ｐの相互間摩擦力ないしは相互間接着力Ｇｐと、「折片間摩擦重なり部分」Ｑの相互間摩擦力ないしは相互間接着力Ｇｑは、それらの「引き出し部重なり部分」Ｐの長さ（Ｌｐ）と、「折片間摩擦重なり部分」Ｑの長さ（Ｌｑ）に関係しており、したがって上記「引き出し部重なり部分」Ｐの相互間摩擦力Ｇｐと「折片間摩擦重なり部分」Ｑの相互間摩擦力Ｇｑを調整するためには「引き出し部重なり部分」Ｐの長さＬｐ及び／又は「折片間摩擦重なり部分」Ｑの長さＬｑを自由に変更し得るようにすることが望まれる。
【００１４】
これを図５に示す特許第２９５１１８７号公報記載の多重腰折ウェットティシューの例についてみれば、同図に示されている短巾重畳端１１１ｃまたは１１２ｃは、ウェットティシュー１１１（又は１１２）の下部折片１１１ａ（又は１１２ａ）を単に二つ折りしたものであってその長さが固定されている。したがって図５のものでは図６に示す「引き出し部重なり部分」Ｐの長さＬｐや「折片間摩擦重なり部分」Ｑの長さＬｑを変更することによりそれらの各部分の相互間摩擦力ないしは相互間接着力（Ｇｐ，Ｇｑ）を調整するということができない。
【００１５】
このため、本願発明者は、上記の問題を改善するための発明をして先に特許出願（特願２００５−３６１２３２：特開２００７−１５９８８０）をしているが、本件出願はさらにその改良である。
【００１６】
本願発明の内容の説明に先立ち、上記先出願の概要を説明すると、この先出願の発明は、図７に例示するように、先行して容器から取り出される腰折ウェットティシュー（１又は２）の下部折片（１ｆ又は２ｆ）の上方に次に後行する腰折ウェットティシュー（２又は１）の上部折片（２ａ又は１ａ）を重合させて、先行する腰折ウェットティシューを容器から取り出すときに先行側の腰折ウェットティシューと後行側の腰折ウェットティシューの間の摩擦力ないしは相互間接着力により、後行側の腰折ウェットティシューの上部折片先端部分を容器の取り出し口から容器外に引き出すようにした多重腰折ウェットティシューであって、各腰折ウェットティシューの下部折片（１ｆ又は２ｆ）の適所に三層重ねの遊折部（Ｑ1又はＱ2）が形成されている、というものである。
【００１７】
そして、この先出願の発明では、腰折ウェットティシュー（１又は２）の下部折片（１ｆ又は２ｆ）の適所に形成される三層重ねの遊折部（Ｑ1又はＱ2）の長さを適宜に調節することによって先行して容器から取り出される腰折ウェットティシュー（１又は２）とそれに後続する腰折ウェットティシュー（２又は１）との間の摩擦力又は相互間接着力を適宜に調節し得るようにしている。
【００１８】
この先出願の発明は、上記のように、先行して容器から取り出される腰折ウェットティシュー（１又は２）とそれに後続する腰折ウェットティシュー（２又は１）との間の摩擦力又は相互間接着力を適宜に調節し得るようにした点では一定の効果を奏するものであるが、この先出願のものは、積層体を形成したときに各腰折ウェットティシュー（１又は２）の遊折部（Ｑ1又はＱ2）積層部分と、その中間部（Ｒ0）の積層部分及び両端部（Ｒ1，Ｒ2）の積層部分とでは積層されるウエブ片の層数が異なるため、積層体の上面が平坦にならず、全体的に凹凸ができて嵩高になるということが判明した。
【００１９】
そこで、本願発明は、前記先出願の発明の基本的思想を維持しつつ、さらに上記問題を改善しようとしてなされたものである。
【課題を解決するための手段】
【００２０】
以下、本願発明の多重腰折ウェットティシューの積層体の構成を説明すると、本願発明の多重腰折ウェットティシューの積層体では図１に例示するように、１枚の矩形ウエブ（Ｗ1又はＷ2）を二ツ折りにし、さらにその二ツ折り線（１ｄ又は２ｄ）を開口（１ｋ又は２ｋ）側へ折り返した形状の多数の腰折ウェットティシュー（１，１・・・、２，２・・・）を図２に示すように、それぞれの開口（１ｋ又は２ｋ）を相互に向い合わせた状態で組み合わせて積層する。
【００２１】
図１に示すように折り畳まれた各腰折ウェットティシュー（１，２）は、開口（１ｋ，２ｋ）側においては上下２層のウエブ片の重合部である二層重合部（１Ｈ，２Ｈ）が、形成され、二ツ折り線（１ｄ，２ｄ）側においては上下４層のウエブ片の重合部である四層重合部（１Ｅ，２Ｅ）が形成されるが、これらの腰折ウェットティシュー（１，２）を図２に示すように相の手状に組み合わせる場合は、一方の腰折ウェットティシュー（図２における左側の腰折ウェットティシュー１）の下部折片先端１ｇが他方の腰折ウェットティシュー（図２における右側の腰折ウェットティシュー２）の二ツ折り線２ｄの位置に達し、他方の（図２における右側の腰折ウェットティシュー２）の上部折片先端２ａが一方の（図２における左側の腰折ウェットティシュー１）の二ツ折り線１ｄの位置に達するようにして組合される。
【００２２】
図３は、図２に示すような態様で相互に組合された左側の腰折ウェットティシュー１，１，１・・・と右側の腰折ウェットティシュー２，２，２・・・とを上下方向に多数枚積層した多重腰折ウェットティシューの積層体Ｊを容器２０内に収容した状態を示しているが、図３に示される多重腰折ウェットティシューの積層体Ｊにおいては各腰折ウェットティシュー（１，２）の中央部に位置する二層重合部（１Ｈ，２Ｈ）の上下方向重合部分（二層重合部積層部分）Ｕとその両側に位置する各腰折ウェットティシュー（１，２）の四層重合部（１Ｅ，２Ｅ）の上下方向重合部分（四層重合部積層部分）１Ｑ，２Ｑはその層厚さが同じ（ウエブ層数が同じ）となる。また、中央部分に位置する二層重合部積層部分Ｕとその両側に位置する四層重合部積層部分１Ｑ，２Ｑとの間には横方向の隙間がない、もしくはほとんどない状態となる。
【発明の効果】
【００２３】
したがって、図３に例示する本願発明の多重腰折ウェットティシューの積層体Ｊは全体的に凹凸がなく、平坦で嵩の低い状態となる。
【発明を実施するための最良の形態】
【００２４】
以下、本願発明の好適な実施例を説明すると、本願発明の多重腰折ウェットティシューの積層体は、基本的性質として、上下方向に相互に重合する腰折ウェットティシュー（１，２）間の「相互間摩擦力」ないしは「相互間接着力」を調整可能にすることが求められるが、その具体的方法は、上下方向に重合する腰折ウェットティシュー（１，２）における重なり部分（図２における重合片１Ｔ，２Ｓ）の長さを変化させることにより行われる。これは換言すれば、各腰折ウェットティシュー１，２における四層重合部１Ｅ，２Ｅの長さを変化させることであり、さらに換言すれば、各腰折ウェットティシュー１，２における二ツ折り線１ｄ，２ｄの開口１ｋ，２ｋ側への折り込み長さを変化させることである。
【図面の簡単な説明】
【００２５】
【図１】本願発明の実施例で使用される左側及び右側腰折ウェットティシューの形状図である。
【図２】左、右両側の腰折ウェットティシューの組合せ状態図である。
【図３】本願発明の実施例にかかる多重腰折ウェットティシューの積層体の形態説明図である。
【図４】従来公知の腰折ウェットティシュー積層体の形態説明図である。
【図５】特許第２９５１１８７号公報に記載されている腰折ウェットティシュー積層体の形態説明図である。
【図６】図５に示す腰折ウェットティシュー積層体の作用説明図である。
【図７】特開２００７−１５９８８０号公報に記載されている腰折ウェットティシュー積層体の形態説明図である。
【符号の説明】
【００２６】
１・２は腰折ウェットティシュー、１ａ・２ａは上部折片先端、１ｄ・２ｄは二ツ折り線、１Ｅ・２Ｅは四層重合部、１ｇ・２ｇは下部折片先端、１Ｈ・２Ｈは二層重合部、Ｊは多重腰折ウェットティシューの積層体、１ｋ・２ｋは開口、１Ｑ・２Ｑは四層重合部積層部分、Ｕは二層重合部積層部分である。
【図１】
2010035750.tif 000003
【図２】
2010035750.tif 000004
【図３】
2010035750.tif 000005
【図４】
2010035750.tif 000006
【図５】
2010035750.tif 000007
【図６】
2010035750.tif 000008
【図７】
2010035750.tif 000009